(57)【要約】【課題】放射性試料の注入されたシリンジを安定した状態で保持することができるとともに、異なるサイズのシリンジに対しても容易に対応することのできる放射性試料ホルダを提供する。【解決手段】放射性試料ホルダ６２は、上面部にノブ７１を有し、タングステン等の放射線遮蔽材料からなる放射線遮蔽板７２と、放射線遮蔽板７２から鉛直下方向に延在するシャフト７４と、シャフト７４の下端部に装着され、放射線遮蔽ケース４０に挿入されたシリンジ２４を立設状態で保持する略円形の保持部材７６とを備える。保持部材７６は、シリンダ３４の鍔部３２を上下から挟持することでシリンジ２４を保持する。【選択図】図３
2006126122.tif 000002
【特許請求の範囲】
【請求項１】
放射性試料の注入されたシリンジを保持し、前記放射性試料の放射能量を測定する放射能測定装置に装填される放射性試料ホルダにおいて、
放射線遮蔽板と、
前記放射線遮蔽板から鉛直下方向に延在するシャフトと、
前記シャフトの下端部に配設され、針側を上として前記シリンジを立設状態で保持する保持部材と、
を備え、前記保持部材は、前記シリンジを構成するシリンダの鍔部を下方向から支持する第１支持部と、間隙を介して前記第１支持部の上部に配設され、前記鍔部を上方向から支持する第２支持部と、前記第１支持部及び前記第２支持部に形成され、前記シリンジを構成するピストンが水平方向から挿入される溝部とを有することを特徴とする放射性試料ホルダ。
【請求項２】
請求項１記載のホルダにおいて、
前記第１支持部は、上部に配設される前記第２支持部よりも水平方向に所定量突出して形成されることを特徴とする放射性試料ホルダ。
【請求項３】
請求項１記載のホルダにおいて、
前記シリンジは、前記シリンダが放射線遮蔽ケースに収納された状態で前記保持部材に保持されることを特徴とする放射性試料ホルダ。
【発明の詳細な説明】
【技術分野】
【０００１】
本発明は、放射性試料の注入されたシリンジを保持し、前記放射性試料の放射能量を測定する放射能測定装置に装填される放射性試料ホルダに関する。
【背景技術】
【０００２】
放射性試料を被検体に投与し、特定部位に集中する放射性試料から放出される放射線を測定することにより、被検体の状態を検査する方法及び装置が開発されている。
【０００３】
この場合、放射性試料は、通常、放射性試料分注装置（特許文献１参照）からシリンジに注入され、シリンジを介して被検体に投与される訳であるが、被検体の状態を正確に検査するためには、シリンジに正確な量の放射性試料を注入しておく必要がある。そこで、シリンジに注入されている放射性試料の放射能量を測定する装置として、非特許文献１に開示された放射能測定装置が開発されている。
【０００４】
この放射能測定装置は、放射性試料から放出される放射線による電離作用を利用したものであり、図７に示すように、放射性試料が注入されたシリンジ２をホルダ４に保持させ、センサを内包する円筒状の検出部６にホルダ４を挿入して測定を行う。
【０００５】
ホルダ４は、検出部６の開口部に係合する係合部材８が上端部に配設され、この係合部材８から鉛直下方向に延在するシャフト１０の下端部にシリンジ２を保持する保持リング１２が配設されて構成される。シリンジ２は、シリンダ１４の鍔部１６を保持リング１２の上面部に係合させた状態で針１８側を下として保持リング１２に保持される。
【０００６】
【特許文献１】特公平３−３１４６８号公報
【非特許文献１】ＣＵＲＩＥＭＥＴＥＲ  ＩＧＣ−７（アロカ株式会社カタログ  ２０００年９月発行）
【発明の開示】
【発明が解決しようとする課題】
【０００７】
ところで、針１８を下としてシリンジ２をホルダ４に保持させた場合、シリンジ２に注入されている放射性試料が針１８を介して漏洩することが懸念される。また、通常は、注入される放射性試料の量に応じてサイズの異なる複数のシリンジ２が準備されており、各シリンジ２を保持リング１２に保持させるためには、そのサイズに応じた保持リング１２を有する複数のホルダ４を用意しておかなければならない。
【０００８】
本発明は、前記の課題を解決するためになされたものであり、放射性試料の注入されたシリンジを安定した状態で保持することができるとともに、異なるサイズのシリンジに対しても容易に対応することのできる放射性試料ホルダを提供することを目的とする。
【課題を解決するための手段】
【０００９】
本発明の放射性試料ホルダは、保持部材を構成する第１支持部及び第２支持部に形成された溝部にシリンジのピストンを水平方向から挿入し、シリンジのシリンダに配設された鍔部を第１支持部及び第２支持部間の間隙によって挟持することで、針側を上としてシリンジを立設状態で保持部材に保持させる。このようにしてシリンジを保持する放射性試料ホルダは、放射能測定装置に装填され、放射能量の測定が行われる。
【発明の効果】
【００１０】
本発明の放射性試料ホルダは、放射性試料の注入されたシリンジを安定した状態で保持することができるとともに、共通の放射性試料ホルダを異なるサイズのシリンジに対して対応させることができる。
【発明を実施するための最良の形態】
【００１１】
図１は、本発明の放射性試料ホルダが適用される放射性試料注入測定システム２０の構成図である。
【００１２】
放射性試料注入測定システム２０は、作業台２２上に設置され、シリンジ２４に対して所定量の放射性試料を注入する放射性試料注入装置２６と、作業台２２の略中央部に配設され、シリンジ２４に注入された放射性試料の放射能量を測定する放射能測定装置を構成する放射能検出部２８と、放射能検出部２８を制御し、検出された放射能量を測定表示する測定表示部３０とを備える。なお、放射性試料注入装置２６は、コントローラ３１によって制御される。
【００１３】
ここで、シリンジ２４は、図２に示すように、鍔部３２を有するシリンダ３４と、シリンダ３４の一端部に装着される針３６と、シリンダ３４の他端部から挿入されるピストン３８とから構成され、鉛等によって形成される放射線遮蔽ケース４０に収納される。なお、放射線遮蔽ケース４０には、シリンジ２４に注入されている放射性試料の注入量を外部から視認可能とする鉛ガラス板４２が装着されている。
【００１４】
放射性試料注入装置２６のコラム４４の前部には、放射線遮蔽ケース４０に収納されたシリンジ２４を保持するホルダ４６と、シリンジ２４におけるピストン３８の鍔部４８が係合するピストン係合部５０とが配設される。ホルダ４６及びピストン係合部５０は、上下に移動可能である。ホルダ４６の上部には、放射性試料を収容した試料容器５２が装填される。
【００１５】
コラム４４の下端部には、放射能検出部２８の上部と放射性試料注入装置２６との間で移動可能な鉛遮蔽板５４が収納される。また、放射性試料注入装置２６の前部には、鉛を含むＬ字状の金属板５６ａ、５６ｂによって両側部が保持され、放射性試料注入装置２６からの放射線を遮蔽する鉛ガラス板５８が配設される。鉛ガラス板５８は、放射性試料注入装置２６に対して近接離間可能である。
【００１６】
放射性試料注入装置２６から離間させた状態の鉛ガラス板５８と放射性試料注入装置２６との間には、放射能検出部２８が配設される。放射能検出部２８は、図示しない放射能センサを備えて作業台２２に収納される円筒体６０からなり、この円筒体６０には、放射性試料が注入されたシリンジ２４を保持した図３に示す放射性試料ホルダ６２が挿入される。
【００１７】
放射性試料ホルダ６２は、作業台２２上に載置されたスタンド６４によって支持される。スタンド６４は、円板状の支持台６６に立設される半円筒体６８を有する。半円筒体６８の略中央部には、切欠部７０ａ、７０ｂが形成されている。
【００１８】
放射性試料ホルダ６２は、上面部にノブ７１を有し、タングステン等の放射線遮蔽材料からなる放射線遮蔽板７２と、放射線遮蔽板７２の下面部に装着され、直径が放射能検出部２８の円筒体６０の内径に略等しく設定されている円形のガイド板７３と、放射線遮蔽板７２から鉛直下方向に延在するシャフト７４と、シャフト７４の下端部に装着され、直径が放射能検出部２８の円筒体６０の内径よりもやや小さく設定され、放射線遮蔽ケース４０に挿入されたシリンジ２４を立設状態で保持する略円形の保持部材７６とを備える。
【００１９】
保持部材７６は、シリンジ２４のシリンダ３４における鍔部３２を下方向から支持する第１支持部７８と、鍔部３２の厚みに相当する間隙８０を介して第１支持部７８の上部に配設され、鍔部３２を上方向から支持する第２支持部８２と、第１支持部７８及び第２支持部８２間に形成される溝部８４とを有する。なお、第１支持部７８は、第２支持部８２よりも所定量突出することで段部８６を形成する。
【００２０】
本実施形態の放射性試料注入測定システム２０は、基本的には以上のように構成されるものであり、次に、放射性試料注入測定システム２０を用いた放射性試料の注入及び測定手順について説明する。
【００２１】
先ず、シリンジ２４のシリンダ３４に対して放射線遮蔽ケース４０を装着した後、放射性試料注入装置２６のホルダ４６に放射線遮蔽ケース４０の部分を保持させるとともに、ピストン３８の鍔部４８をピストン係合部５０に係合させる。次いで、鉛ガラス板５８を放射性試料注入装置２６側に移動させ、放射線の遮蔽状態を確保した後、コントローラ３１を操作してシリンジ２４への放射性試料の注入作業を開始する。
【００２２】
この場合、シリンジ２４を保持したホルダ４６及びピストン係合部５０が上昇することで、上部に配設された試料容器５２に針３６が刺入される。次いで、コントローラ３１から指示された放射性試料の注入量に従い、ピストン係合部５０が所定量下降することで、シリンダ３４に所定量の放射性試料が注入される。
【００２３】
放射性試料がシリンジ２４に注入された後、鉛ガラス板５８を放射性試料注入装置２６から離間させ、放射線遮蔽ケース４０が装着された状態のシリンジ２４をホルダ４６から取り外す。次いで、作業台２２上のスタンド６４に配設されている放射性試料ホルダ６２に対して、シリンジ２４を装着する。
【００２４】
この場合、放射性試料ホルダ６２は、図４及び図５に示すように、放射線遮蔽板７２がスタンド６４を構成する半円筒体６８の上端部に載置された状態で保持されている。そこで、作業者は、放射性試料注入装置２６から取り外したシリンジ２４を、針３６を上にしたままの状態で半円筒体６８の開放された部分より挿入し、放射性試料ホルダ６２に設定する。
【００２５】
すなわち、保持部材７６を構成する第１支持部７８の段部８６にシリンダ３４の鍔部３２を載置し、第１支持部７８と第２支持部８２との間の間隙８０に鍔部３２を挿入するとともに、第１支持部７８及び第２支持部８２に形成された溝部８４にピストン３８を挿入する。この場合、針３６が上となるようにしてシリンジ２４が放射性試料ホルダ６２に設定されるため、シリンダ３４内の放射性試料が漏洩する不具合が生じることはない。なお、スタンド６４には、切欠部７０ａ、７０ｂが形成されており、シリンジ２４を放射性試料ホルダ６２の保持部材７６に装着する際、スタンド６４の半円筒体６８が作業の邪魔になることがなく、シリンジ２４をスタンド６４に対して容易に設定することができる。
【００２６】
また、放射性試料ホルダ６２に装着されたシリンジ２４は、シリンダ３４の鍔部３２が第１支持部７８及び第２支持部８２によって上下から保持されるとともに、シリンジ２４に装着された重金属からなる放射線遮蔽ケース４０の重量が鍔部３２に付加されるため、針３６を上とした状態で放射性試料ホルダ６２にしっかりと保持される。さらに、放射性試料ホルダ６２は、スタンド６４によって保持されているため、作業者は、放射性試料ホルダ６２を押さえることなく、シリンジ２４を容易に放射性試料ホルダ６２に保持させることができる。
【００２７】
なお、放射性試料ホルダ６２は、シリンダ３４の鍔部３２を第１支持部７８及び第２支持部８２間の間隙８０に挿入することでシリンジ２４を保持するように構成されているため、例えば、サイズの異なる他のシリンジ２４であっても、ピストン３８の部分を溝部８４に挿入させることのできる範囲であれば、放射性試料ホルダ６２をサイズの異なる複数のシリンジ２４の保持部材として共通に使用することができる。
【００２８】
シリンジ２４を放射性試料ホルダ６２に保持させた後、ノブ７１を摘んで放射性試料ホルダ６２をシリンジ２４とともにスタンド６４から取り外し、放射能検出部２８の円筒体６０に保持部材７６側から挿入する。放射性試料ホルダ６２が円筒体６０の内部に挿入されると、ガイド板７３が円筒体６０の開口部に係合するとともに、放射線遮蔽板７２が円筒体６０の上端部に配設され、外部からの放射線の侵入を阻止し得る状態となる。
【００２９】
次いで、放射性試料注入装置２６のコラム４４の下端部に配設されている鉛遮蔽板５４をスライドさせて放射能検出部２８の上部に配設し、外部からの放射線、例えば、放射性試料注入装置２６の試料容器５２に残留する放射性試料からの放射線の侵入を確実に阻止できる状態とした後、測定表示部３０の制御に基づき、シリンジ２４に注入された放射性試料の放射能量の測定を行う。
【００３０】
なお、放射能量の測定に際して、シリンジ２４には放射線遮蔽ケース４０が装着されており、放射線遮蔽ケース４０によって遮蔽されている分だけ測定される放射能量が減少することになるが、例えば、放射線遮蔽ケース４０のない状態でシリンジ２４内の放射性試料を直接測定した場合の値に基づいて予め作成した補正テーブルを用いることにより、放射能量を高精度に推定することができる。
【００３１】
また、上述した説明では、放射線遮蔽ケース４０の装着されたシリンジ２４を放射性試料ホルダ６２に保持させるものとしているが、シリンジ２４のみを直接放射性試料ホルダ６２に保持させるようにしてもよい。
【００３２】
なお、本発明は、上述した実施形態に限定されるものではなく、本発明の主旨を逸脱しない範囲で自由に変更できることは勿論である。
【図面の簡単な説明】
【００３３】
【図１】本発明の放射性試料ホルダが適用される放射性試料注入測定システムの構成図である。
【図２】放射性試料が注入されるシリンジ及び放射線遮蔽ケースの構成図である。
【図３】シリンジを保持する放射性試料ホルダと、放射性試料ホルダを保持するスタンドの構成図である。
【図４】スタンドを介して放射性試料ホルダに保持されたシリンジの正面図である。
【図５】スタンドを介して放射性試料ホルダに保持されたシリンジの側面図である。
【図６】シリンジを保持した放射性試料ホルダを放射能検出部に挿入する説明図である。
【図７】従来技術に係るホルダの斜視説明図である。
【符号の説明】
【００３４】
２０…放射性試料注入測定システム  ２４…シリンジ
２６…放射性試料注入装置          ２８…放射能検出部
３２…鍔部                        ３４…シリンダ
３６…針                          ３８…ピストン
４０…放射線遮蔽ケース            ６２…放射性試料ホルダ
６４…スタンド                    ７２…放射線遮蔽板
７４…シャフト                    ７６…保持部材
７８…第１支持部                  ８０…間隙
８２…第２支持部                  ８４…溝部
８６…段部
【図１】
2006126122.tif 000003
【図２】
2006126122.tif 000004
【図３】
2006126122.tif 000005
【図４】
2006126122.tif 000006
【図５】
2006126122.tif 000007
【図６】
2006126122.tif 000008
【図７】
2006126122.tif 000009